(57)【特許請求の範囲】
【請求項１】
全体形状がカップ形をなすケース(1)内に永久磁石(2)を接続したポールピース(3)を設け、前記ポールピース(3)の周囲にボビン(5)を介してコイル(6)を設けると共に、前記ケース(1)の後部に配設した端子ピン(41)に前記コイル(6)の端線(6a)を接続し、前記ポールピース(3)の近傍で回転する回転体(10)の回転を前記コイル(6)から出力信号として検出するようにした回転検出器において、前記ポールピース(3)の先端に形成され段部(3b)を有する突部(3a)を有し、前記ケース(1)の端壁(4)に形成された開孔(4a)に前記突部(3a)が係合し、前記段部(3b)が前記開孔(4a)の縁部(4aA)に係合していると共に、前記ボビン(5)とポールピース(3)及びケース(1)との間には、防水用部材(50,51)が設けられていることを特徴とする回転検出器。
【請求項２】
前記コイル(6)の外周と前記ケース(1)との間には、磁気シールド板(52)が設けられていることを特徴とする請求項１記載の回転検出器。
【請求項３】
前記端線(6a)にはたるみ部(6aA)が形成され、このたるみ部(6aA)は前記ケース(1)内に充填されたポッティング用樹脂剤(42)で保持されていることを特徴とする請求項１又は２記載の回転検出器。
【請求項４】
前記ポールピース(3)の先端面(3A)は、前記ケース(1)の端壁(4)の端壁面(4a)と面一に形成されていることを特徴とする請求項１ないし３の何れかに記載の回転検出器。
【請求項５】
全体形状がカップ形をなすケース(1)内に永久磁石(2)を接続したポールピース(3)を設け、前記ポールピース(3)の周囲にボビン(5)を介してコイル(6)を設けると共に、前記ケース(1)の後部に配設した端子ピン(41)に前記コイル(6)の端線(6a)を接続し、前記ポールピース(3)の近傍で回転する回転体(10)の回転を前記コイル(6)から出力信号として検出するようにした回転検出器において、前記ボビン(5)とポールピース(3)及びケース(1)との間には、防水用部材(50,51)が設けられていることを特徴とする回転検出器。
【請求項６】
全体形状がカップ形をなすケース(1)内に永久磁石(2)を接続したポールピース(3)を設け、前記ポールピース(3)の周囲にボビン(5)を介してコイル(6)を設けると共に、前記ケース(1)の後部に配設した端子ピン(41)に前記コイル(6)の端線(6a)を接続し、前記ポールピース(3)の近傍で回転する回転体(10)の回転を前記コイル(6)から出力信号として検出するようにした回転検出器において、前記コイル(6)の外周と前記ケース(1)との間には、磁気シールド板(52)が設けられていることを特徴とする回転検出器。
【請求項７】
全体形状がカップ形をなすケース(1)内に永久磁石(2)を接続したポールピース(3)を設け、前記ポールピース(3)の周囲にボビン(5)を介してコイル(6)を設けると共に、前記ケース(1)の後部に配設した端子ピン(41)に前記コイル(6)の端線(6a)を接続し、前記ポールピース(3)の近傍で回転する回転体(10)の回転を前記コイル(6)から出力信号として検出するようにした回転検出器において、前記端線(6a)にはたるみ部(6aA)が形成され、このたるみ部(6aA)は前記ケース(1)内に充填されたポッティング用樹脂剤(42)で保持されていることを特徴とする回転検出器。
【発明の詳細な説明】
【０００１】
【発明の属する技術分野】
本発明は、回転検出器に関し、特に、ケースに対するポールピースの固定を確保し、コイルと端子ピンとの接続を確保する等によって特性及び信頼性の向上を得るための新規な改良に関する。
【０００２】
【従来の技術】
従来、用いられていたこの種の回転検出器としては、図５から図８で示される構成を挙げることができる。すなわち、図５において符号１で示されるものは全体形状がカップ形をなすケースであり、このケース１内には永久磁石２が接続されたポールピース３が設けられ、このポールピース３の先端に形成された突起部３ａは前記ケース１の先端の端壁４に形成された開孔４ａから前方へ突出して形成されている。
【０００３】
前記ポールピース３の外周位置には、ボビン５を介してコイル６が巻回して設けられており、このコイル６に接続されたリード線７は、前記永久磁石２の外周を経てケース１の後端１ａから外部へ導出されている。
従って、前記突起部３ａの近傍に磁性材からなるギヤ等の回転体１０を位置させることにより、コイル６にはこの回転体１０の回転に応じて変化する誘起電圧レベルからなる出力信号が検出される。
【０００４】
前記コイル６とリード線７との接続は、図６で示されるように、リード線７の芯線７ａにコイル６が直接巻回して接続されているが、他の従来例としては、図７に示されるように、ボビン５に植設された端子ピン１１に接続されている。
【０００５】
さらに、他の従来構成としては図８に示される構成を挙げることができる。すなわち、図８において符号１で示されるものはケースであり、このケース１の先端側にはポールピース３とコイル６が設けられ、このポールピース３には永久磁石２が接続されている。
前記コイル６に接続されたコネクタピン２０は、ケース１の後端に導出されている。
【０００６】
【発明が解決しようとする課題】
従来の回転検出器は、以上のように構成されていたため、次のような課題が存在していた。
すなわち、図５の従来構成の場合、ポールピースの先端の突起部がケースの先端の端壁面から突出しているため、ギヤ等の回転体に接近しすぎると、損傷等の事故が発生することがあり、取付における養生に手間がかかっていた。
また、マグネットワイヤからなるコイルがたるみを伴うことなくリード線や端子ピン等に接続されているため、温度差による伸縮性によってコイルの端線が断線することがあった。
また、コイルの外周には、磁気シールド対策がなされていないため、外部からの雑音が入りやすく、Ｓ／Ｎ比の向上が困難であった。
また、ポールピースには、永久磁石のみしか接続されていないため、永久磁石からの磁束の流れを向上させ、検出感度を向上させることが困難であった。
【０００７】
本発明は、以上のような課題を解決するためになされたもので、特に、ケースに対するポールピースの固定を確保し、コイルと端子ピンとの接続を確保する等によって特性及び信頼性の向上を得るようにした回転検出器を提供することを目的とする。
【０００８】
【課題を解決するための手段】
本発明による回転検出器は、全体形状がカップ形をなすケース内に永久磁石を接続したポールピースを設け、前記ポールピースの周囲にボビンを介してコイルを設けると共に、前記ケースの後部に配設した端子ピンに前記コイルの端線を接続し、前記ポールピースの近傍で回転する回転体の回転を前記コイルから出力信号として検出するようにした回転検出器において、前記ポールピースの先端に形成され段部を有する突部を有し、前記ケースの端壁に形成された開孔に前記突部が係合し、前記段部が前記開孔の縁部に係合していると共に、前記ボビンとポールピース及びケースとの間には、防水用部材が設けられている構成であり、また、前記コイルの外周と前記ケースとの間には、磁気シールド板が設けられている構成であり、また、前記端線にはたるみ部が形成され、このたるみ部は前記ケース内に充填されたポッティング用樹脂剤で保持されている構成であり、また、前記ポールピースの先端面は、前記ケースの端壁の端壁面と面一に形成されている構成であり、また、全体形状がカップ形をなすケース内に永久磁石を接続したポールピースを設け、前記ポールピースの周囲にボビンを介してコイルを設けると共に、前記ケースの後部に配設した端子ピンに前記コイルの端線を接続し、前記ポールピースの近傍で回転する回転体の回転を前記コイルから出力信号として検出するようにした回転検出器において、前記ボビンとポールピース及びケースとの間には、防水用部材が設けられている構成であり、また、全体形状がカップ形をなすケース内に永久磁石を接続したポールピースを設け、前記ポールピースの周囲にボビンを介してコイルを設けると共に、前記ケースの後部に配設した端子ピンに前記コイルの端線を接続し、前記ポールピースの近傍で回転する回転体の回転を前記コイルから出力信号として検出するようにした回転検出器において、前記コイルの外周と前記ケースとの間には、磁気シールド板が設けられている構成であり、また、全体形状がカップ形をなすケース内に永久磁石を接続したポールピースを設け、前記ポールピースの周囲にボビンを介してコイルを設けると共に、前記ケースの後部に配設した端子ピンに前記コイルの端線を接続し、前記ポールピースの近傍で回転する回転体の回転を前記コイルから出力信号として検出するようにした回転検出器において、前記端線にはたるみ部が形成され、このたるみ部は前記ケース内に充填されたポッティング用樹脂剤で保持されている構成である。
【０００９】
【発明の実施の形態】
以下、図面と共に本発明による回転検出器の好適な実施の形態について詳細に説明する。なお、従来例と同一又は同等部分には同一符号を付して説明する。
図１において符号１で示されるものは全体形状がほぼカップ形をなすと共にその端壁４に開孔４ａを有するケースであり、このケース１内には磁性体からなるポールピース３が設けられ、このポールピース３の先端の突部３ａは前記開孔４ａに嵌合状態で係合している。従って、この突部３ａの周縁に形成された段部３ｂは開孔４ａの縁部４ａＡに係合し、接着剤(図示せず)によって互いに結合されている。
【００１０】
前記ポールピース３の後部に接続された永久磁石２の後部には、鉄板等の磁性板４０が設けられ、この永久磁石２がポールピース３と磁性板４０によって挟持されていることより、磁束の流れが良好となり効率の良い磁気回路の形成を行うことができる。すなわち、図３のように、Ｎ極からＳ極へ流れた磁束が永久磁石２に戻りやすく構成されている。
【００１１】
前記ポールピース３の外周には、全体形状が断面でほぼＴ字型をなし筒状に形成されたボビン５が設けられており、このボビン５の外周には、前記ポールピース３の外周に対応してコイル６が巻回されている。前記ボビン５の肉厚部５ａにはリード線７が接続された端子ピン４１が植設して設けられており、前記コイル６の端線６ａが接続されている。
前記端線６ａには十分な長さのたるみ部６ａＡ（図４にも示されている）が形成されている。
【００１２】
前記たるみ部６ａＡは、前記ケース１の内側に前記肉厚部５ａの外周に対応した位置に充填され低硬度のシリコン樹脂等からなるポッティング用樹脂剤４２によって硬められて保持されている。
前記ポッティング用樹脂剤４２の後部には、前記低硬度よりも高い硬度のポッティング剤４３が充填され、このポッティング剤４３によって端子ピン４１等がより強固に固定されている。
【００１３】
前記ボビン５とポールピース３との間には防水用ポッティング剤からなる第１防水用部材５０が輪状に設けられていると共に、前記ボビン５と前記端壁４との間には防水用ポッティング剤からなる第２防水用部材５１が輪状に設けられていることにより、外部からコイル６内への水等の侵入を完全に防止することができる。
【００１４】
前記コイル６の外周位置には、輪状に形成された磁気シールド板５２が輪状に形成された絶縁用フィルム５３を内側に介して設けられ、外部からの雑音等がコイル６からの出力信号に混入してＳ／Ｎ比が低下することのないように構成されている。なお、回転体１０の回転速度を検出する場合は、図５と同様に、端壁４の端壁面４ｂと面一に形成されたポールピース３の先端面３Ａを回転体１０の外周面１０ａに極力接近させて高感度が得られる状態として回転速度を検出することができる。
【００１５】
【発明の効果】
本発明による回転検出器は、以上のように構成されているため、次のような効果を得ることができる。すなわち、ポールピースの突部に段部が形成されているため、ケースの開孔との位置決めが確実に行われると共に、ポールピースの先端とケースの端壁面とが面一であるため、回転体の外周面とポールピースの先端との間のギャップを限界迄近付けることができ、検出感度を従来よりも向上させることができる。
また、ボビンとポールピース及びケースとの間に防水用部材が設けられているため、外部からコイルへの防水を完全に得ることができる。
また、コイルの外周に磁気シールド板が設けられているため、検出信号のＳ／Ｎ比を向上させることができる。
また、永久磁石に磁性板が設けられているため磁束の流れが良好となり、検出感度の向上を得ることができる。
また、コイルの端線にたるみ部が形成されているため、温度差による断線を防止することができる。
【図面の簡単な説明】
【図１】本発明による回転検出器を示す断面図である。
【図２】図１の一部を除去した状態を示す平面図である。
【図３】図１の要部を示す構成図である。
【図４】図１の要部を示す構成図である。
【図５】従来の回転検出器を示す断面構成図である。
【図６】図５のコイル接続構造を示す構成図である。
【図７】図６の他の従来形態を示す構成図である。
【図８】図５の従来形態を示す断面図である。
【符号の説明】
１    ケース
２    永久磁石
３    ポールピース
４    端壁
４ａ    開口
４ｂ    端壁面
３ａ    突部
３Ａ    先端面
３ｂ    段部
５    ボビン
６    コイル
６ａ    端線
６ａＡ    たるみ部
７    リード線
４０    磁性板
４１    端子ピン
４２    ポッティング用樹脂剤
５０，５１    防水用部材
５２    磁気シールド板
【図１】
0003619721.tif 000002
【図２】
0003619721.tif 000003
【図３】
0003619721.tif 000004
【図４】
0003619721.tif 000005
【図５】
0003619721.tif 000006
【図６】
0003619721.tif 000007
【図７】
0003619721.tif 000008
【図８】
0003619721.tif 000009